(57)【要約】【課題】  フリッカー及び動画擬似輪郭の発生を抑制して、駆動効率の高く、高階調表示が出来る画像表示装置の駆動方法を提供する。【解決手段】  １フィールド期間を時間幅或いはパルス幅によりそれぞれ重み付けられた複数の２値画像であるサブフィールドを時間的にか重ねて表示することによって中間調を持つ映像信号を表示する際、２進数で表される中間調の上位の複数のビットに相当する部分に等しい重み付けの複数のサブフィールドで表示し、残りの下位ビットに相当する部分を２進法に従った重み付けの複数のサブフィールドで表示する画像表示装置の駆動方法であって、１フィールド中にあって、中央部に前記残りの下位ビットに相当する部分の複数のサブフィールドを配置し、前記上位ビットに相当する部分の複数のサブフィールドを２分割し、前記残りの下位ビットに相当する部分の複数のサブフィールドの両側に配置した。【選択図】図１
2006171651.tif 000002
【特許請求の範囲】
【請求項１】
１フィールド期間を時間幅或いはパルス幅によりそれぞれ重み付けられた複数の２値画像であるサブフィールドを時間的に重ねて表示することによって中間調を有する映像信号を表示する際、２進数で表される中間調の上位の複数のビットに相当する部分に等しい重み付けの複数のサブフィールドで表示し、残りの下位ビットに相当する部分を２進法に従った重み付けの複数のサブフィールドで表示する画像表示装置の駆動方法であって、
１フィールド中にあって、中央部に前記残りの下位ビットに相当する部分の複数のサブフィールドを配置し、前記上位ビットに相当する部分の複数のサブフィールドを２分割し、前記残りの下位ビットに相当する部分の複数のサブフィールドの両側に配置して表示するようにしたことを特徴とする画像表示装置の駆動方法。
【発明の詳細な説明】
【技術分野】
【０００１】
本発明は、透過型や投射型ディスプレイ、ビューファインダー、ヘッドマウントディスプレイ等の液晶画像表示装置、プラズマ画像表示装置、デジタルミラー画像表示装置、エレクトロルミネッセンス画像表示装置、フィールドエミッション画像表示装置等に適用されるサブフィールド法を用いた画像表示装置の駆動方法に関する。
【背景技術】
【０００２】
一般に、液晶画像表示装置、プラズマ画像表示装置やデジタルミラー画像表示装置のように、２値表示を基本とした表示装置においては、中間階調を得るために、駆動方法としてサブフィールド法（駆動）を用いている。この方法は、１フィールドを所定の法則で発光の輝度を重み付けした、すなわち、輝度の相対比を異ならせた複数のサブフィールドに分割して表示し、１フィールドにわたってそれぞれの階調を重ね合わせて中間階調を表示するものである。
【０００３】
しかしながら、このサブフィールド駆動を行うことにより、静止画表示の場合には、良好な表示画像を得られるものの、動画像表示時には、擬似輪郭及びフリッカーが発生することが知られている。これらを解決する方法として、画像のデータ（階調）が変化しても、発光の重心の変化を出来るだけ生じさせないために、１フィールドを同一の複数のサブフィールドから構成された１／２フィールドを２回繰り返し表示する１／２フィールド駆動方法が提案されている（例えば、特許文献１参照。）。
【０００４】
それには、下位のビットをバイナリ重み付けサブフィールドとし、上位のビットに対応するバイナリ重み付けサブフィールドを複数のサブフィールドに分割する。例えば、重みが１：２：４：８：１６：３２：６４：１２８である８つのサブフィールドにより、それらのサブフィールドの組み合わせにより２５６階調を表示するものとすると、１、２、４、８、１６、３２の重みのサブフィールドはそのままとし、６４の重みのサブフィールドを２つの３２の重みのサブフィールドに分け、１２８の重みのサブフィールドを４つの３２の重みのサブフィールドに分ける。そして、それらの組み合わせにより、１／２フィールド期間に、所定の階調を表示するものである。
【特許文献１】特開平９−１７２５８９号公報
【発明の開示】
【発明が解決しようとする課題】
【０００５】
ところで、図５に示すが、１フィールドは複数のサブフィールドより構成されるのであるが、サブフィールドはアドレス期間と切り替え期間とから構成される。アドレス期間は駆動期間と対応する。ここで、駆動期間とは、サブフィールド毎の表示のＯＮ／ＯＦＦを制御できる期間であり、ＯＮであればその期間全てＯＮであり、ＯＦＦであればその期間全てＯＦＦとなる。アドレス期間とは、サブフィールド毎に表示装置の全画素のＯＮ／ＯＦＦの情報を転送する期間であり、表示装置ごとの総画素数、転送速度等により決定され、全てのサブフィールド毎に一定期間が必要である。このため、パターンＡのように駆動期間がアドレス期間よりも短い場合、非駆動期間が生じてしまう。
【０００６】
ここで、サブフィールド法として１／２フィールド駆動法を用いると、フリッカーの抑制には効果があるものの、後述する比較例においても具体的に説明するが、バイナリ重み付けビットも２つに分割する必要があり、図５におけるパターンＡのサブフィールドが多くなり、１フィールド期間での非駆動期間の割合が大きくなるため、駆動効率が下がり表示輝度が低下してしまうという問題があった。
同時に、等しい重み付けビットに割り当てるサブフィールド数が少なくなってしまうために、駆動階調数が少なくなってしまい、多階調表示が困難であるという問題があった。
【０００７】
そこで本発明は、上記の問題を解決し、フリッカー及び動画擬似輪郭の発生を抑制して、駆動効率の高く、高階調表示が出来る画像表示装置の駆動方法を提供することを目的とする。
【課題を解決するための手段】
【０００８】
本発明は、１フィールド期間を時間幅或いはパルス幅によりそれぞれ重み付けられた複数の２値画像であるサブフィールドを時間的に重ねて表示することによって中間調を有する映像信号を表示する際、２進数で表される中間調の上位の複数のビットに相当する部分に等しい重み付けの複数のサブフィールドで表示し、残りの下位ビットに相当する部分を２進法に従った重み付けの複数のサブフィールドで表示する画像表示装置の駆動方法であって、１フィールド中にあって、中央部に前記残りの下位ビットに相当する部分の複数のサブフィールドを配置し、前記上位ビットに相当する部分の複数のサブフィールドを２分割し、前記残りの下位ビットに相当する部分の複数のサブフィールドの両側に配置して表示するようにしたことを特徴とする画像表示装置の駆動方法を提供する。
【発明の効果】
【０００９】
本発明の画像表示装置に駆動方法は、１フィールド中にあって、中央部に前記残りの下位ビットに相当する部分の複数のサブフィールドを配置し、前記上位ビットに相当する部分の複数のサブフィールドを２分割し、前記残りの下位ビットに相当する部分の複数のサブフィールドの両側に配置して表示するようにしたので、フリッカー及び動画擬似輪郭の発生を抑制して、駆動効率の高く、高階調表示が出来る画像表示装置の駆動方法を提供出来るという効果がある。
【発明を実施するための最良の形態】
【００１０】
以下、本発明の実施の形態につき、好ましい実施例により、図面を参照して説明する。
【実施例】
【００１１】
図１は、本発明に係る画像表示装置の駆動方法の実施例におけるサブフィールドパターンである。
図２は、実施例において、各階調レベルに対応した各サブフィールドの点灯（ＯＮ／ＯＦＦ）をあらわした図表である。
図３は、実施例において、フリッカーの抑制効果について例示した図である。
図４は、実施例に係る画像表示装置のブロック図である。
【００１２】
本実施例の駆動方法は、反射型液晶標示素子：ＬＣＯＳ（Ｌｉｑｕｉｄ  Ｃｒｙｓｔａｌ  Ｏｎ  Ｓｉｌｉｃｏｎ）を６０Ｈｚで駆動するのに適用した。
図１に示すように、本実施例では、各フィールド内で、時間幅又は発光パルス数により重み付けして発光するようにした複数の２値の発光群を、時間的に重ね合わせて中間階調を表示するのであるが、１フィールドを２４個のサブフィールドに分割し、６４０階調を表示するものである。
ここでは、２進法で表される中間調の上位３ビットに相当する９個の６４の重み付けを有する発光群をそれぞれ２分割し、３２の重み付けを持つ１８個のサブフィールドで表し、そして、２進法で表される中間調の下位６ビットに相当する発光群を２進法の重みづけ（１、２、４、８、１６、３２）を６個のサブフィールドで表している。
【００１３】
６４の重み付けは、２個の３２の重み付けを持つ一組のサブフィールドで表すのであり、９組の６４の重み付けを持つサブフィールドの組に階調の低いレベルから出現する順に、Ｔ１、Ｔ２、Ｔ３、Ｔ４、Ｔ５、Ｔ６、Ｔ７、Ｔ８、Ｔ９とサブフィールドの組の番号付けする。
サブフィールドの組Ｔ１は、番号Ｔ１ａと番号Ｔ１ｂである３２の重み付けのサブフィールドより構成され、［Ｔ１ａ、Ｔ１ｂ］と表示する。ここで、同じサブフィールドの組において、記号ａは低い重み付けを、記号ｂは高い重み付けをそれぞれ表している。
【００１４】
以下、同様に、サブフィールドの組Ｔ２は、番号Ｔ２ａと番号Ｔ２ｂである３２の重み付けのサブフィールドより構成され、［Ｔ２ａ、Ｔ２ｂ］と表示する。
サブフィールドの組Ｔ３は、番号Ｔ３ａと番号Ｔ３ｂである３２の重み付けのサブフィールドより構成され、［Ｔ３ａ、Ｔ３ｂ］と表示する。
サブフィールドの組Ｔ４は、番号Ｔ４ａと番号Ｔ４ｂである３２の重み付けのサブフィールドより構成され、［Ｔ４ａ、Ｔ４ｂ］と表示する。
サブフィールドの組Ｔ５は、番号Ｔ５ａと番号Ｔ５ｂである３２の重み付けのサブフィールドより構成され、［Ｔ５ａ、Ｔ５ｂ］と表示する。
【００１５】
サブフィールドの組Ｔ６は、番号Ｔ６ａと番号Ｔ６ｂである３２の重み付けのサブフィールドより構成され、［Ｔ６ａ、Ｔ６ｂ］と表示する。
サブフィールドの組Ｔ７は、番号Ｔ７ａと番号Ｔ７ｂである３２の重み付けのサブフィールドより構成され、［Ｔ７ａ、Ｔ７ｂ］と表示する。
サブフィールドの組Ｔ８は、番号Ｔ８ａと番号Ｔ８ｂである３２の重み付けのサブフィールドより構成され、［Ｔ８ａ、Ｔ８ｂ］と表示する。
サブフィールドの組Ｔ９は、番号Ｔ９ａと番号Ｔ９ｂである３２の重み付けのサブフィールドより構成され、［Ｔ９ａ、Ｔ９ｂ］と表示する。
以上において、同じサブフィールドの組において、記号ａは低い重み付けを、記号ｂは高い重み付けをそれぞれ表している。
【００１６】
ここで、出現する階調レベルに応じて、［Ｔ１ａ、Ｔ１ｂ］、［Ｔ２ａ、Ｔ２ｂ］、［Ｔ３ａ、Ｔ３ｂ］を低階調グループ、［Ｔ４ａ、Ｔ４ｂ］、［Ｔ５ａ、Ｔ５ｂ］［Ｔ６ａ、Ｔ６ｂ］を中階調グループ、［Ｔ７ａ、Ｔ７ｂ］、［Ｔ８ａ、Ｔ８ｂ］、［Ｔ９ａ、Ｔ９ｂ］を高階調グループとそれぞれグループ分けする。
【００１７】
一方、２進法の重み付けの６個のサブフィールドを重み付けの小さい順に、Ｂ１（重み付け１）、Ｂ２（重み付け２）、Ｂ３（重み付け４）、Ｂ４（重み付け８）、Ｂ５（重み付け１６）、Ｂ６（重み付け３２）のように番号付けをする。
【００１８】
サブフィールドの配置は次のようにする。
まず、中央部のサブフィールドに、Ｂ１〜Ｂ６を時間の早い方よりＢ６、Ｂ５、Ｂ４、Ｂ３、Ｂ２、Ｂ１の順でそれぞれ配置する。
具体的には、１フィールドを構成する１番から２４番のサブフィールドに対して、１０番目のサブフィールドに、番号Ｂ６のサブフィールドを割当てる。以下、１１番目のサブフィールドに、番号Ｂ５のサブフィールドを割当てる。１２番目のサブフィールドに、番号Ｂ４のサブフィールドを割当てる。１３番目のサブフィールドに、番号Ｂ３のサブフィールドを割当てる。１４番目のサブフィールドに、番号Ｂ２のサブフィールドを割当てる。１５番目のサブフィールドに、番号Ｂ１のサブフィールドを割当てる。
【００１９】
次に、低階調グループの内低い重み付けのＴ１ａ、Ｔ２ａ、Ｔ３ａを中央に配置したＢ１〜Ｂ６のサブフィールドの前方に、時間の早い方より、Ｔ３ａ、Ｔ１ａ、Ｔ２ａの順でそれぞれ配置する。
具体的には、７番目のサブフィールドに、番号Ｔ３ａのサブフィールドを割当てる。８番目のサブフィールドに、番号Ｔ１ａのサブフィールドを割当てる。９番目のサブフィールドに、番号Ｔ２ａのサブフィールドを割当てる。
【００２０】
つぎに、低階調グループの内高い重み付けのＴ１ｂ、Ｔ２ｂ、Ｔ３ｂを低い重み付けのＴ１ａ、Ｔ２ａ、Ｔ３ａから１／２フィールド後方に、時間の早い方よりＴ２ｂ、Ｔ１ｂ、Ｔ３ｂの順でそれぞれ配置する。
具体的には、１９番目（７番目の１／２フィールド後）のサブフィールドに、番号Ｔ２ｂのサブフィールドを割当てる。２０番目（８番目の１／２フィールド後）のサブフィールドに、番号Ｔ１ｂのサブフィールドを割当てる。２１番目（９番目の１／２フィールド後）のサブフィールドに、番号Ｔ３ｂのサブフィールドを割当てる。
【００２１】
次に、中階調グループの内低い重み付けのＴ４ａ、Ｔ５ａ、Ｔ６ａは低階調グループのうち低い重み付けのＴ１ａ、Ｔ２ａ、Ｔ３ａのグループの前方に、時間の早い方より、Ｔ４ａ、Ｔ５ａ、Ｔ６ａの順でそれぞれを配置する。
具体的には、４番目のサブフィールドに、番号Ｔ４ａのサブフィールドを割当てる。５番目のサブフィールドに、番号Ｔ５ａのサブフィールドを割当てる。６番目のサブフィールドに、番号Ｔ６ａのサブフィールドを割当てる。
【００２２】
次に、中階調グループの内の高い重み付けのＴ４ｂ、Ｔ５ｂ、Ｔ６ｂは低い重み付けのＴ４ａ、Ｔ５ａ、Ｔ６ａから１／２フィールド後方に、すなわち、低階調グループの内の高い重み付けのＴ１ｂ、Ｔ２ｂ、Ｔ３ｂのグループの前方に、時間の早い方よりＴ６ｂ、Ｔ５ｂ、Ｔ４ｂの順でそれぞれ配置する。
具体的には、１６番目のサブフィールドに、番号Ｔ６ｂのサブフィールドを割当てる。１７番目のサブフィールドに、番号Ｔ５ｂのサブフィールドを割当てる。１８番目のサブフィールドに、番号Ｔ４ｂのサブフィールドを割当てる。
【００２３】
次に、高階調グループの内低い重み付けのＴ７ａ、Ｔ８ａ、Ｔ９ａは中階調グループの内の低い重み付けのＴ４ａ、Ｔ５ａ、Ｔ６ａのグループの前方に、時間の早い方よりＴ９ａ、Ｔ８ａ、Ｔ７ａの順でそれぞれ配置する。これらはフィールドの始めに位置する。
具体的には、１番目のサブフィールドに、番号Ｔ９ａのサブフィールドを割当てる。２番目のサブフィールドに、番号Ｔ８ａのサブフィールドを割当てる。３番目のサブフィールドに、番号Ｔ７ａのサブフィールドを割当てる。
【００２４】
次に高階調グループの内高い重み付けのＴ７ｂ、Ｔ８ｂ、Ｔ９ｂは低階調グループの内の高い重み付けのＴ１ｂ、Ｔ２ｂ、Ｔ３ｂのグループの後方に、時間の早い方よりＴ７ｂ、Ｔ８ｂ、Ｔ９ｂの順でそれぞれ配置する。これらはフィールドの終わりに位置する。
具体的には、２２番目のサブフィールドに、番号Ｔ７ｂのサブフィールドを割当てる。２３番目のサブフィールドに、番号Ｔ８ｂのサブフィールドを割当てる。２４番目のサブフィールドに、番号Ｔ９ｂのサブフィールドを割当てる。
【００２５】
以上のように、各サブフィールドに、高階調、中階調、低階調、バイナリの重み付けのサブフィールドを割り振る。
ここで、例えば、Ｔ２ａがＴ１ａの前方に配置された時には、Ｔ２ｂはＴ１ｂの後方という風にａとｂの配置する方向がなるべく逆になるようにぞれぞれのグループ内での位置を決定することにより、例えば、フィールドの前方から、Ｔ９ａ、Ｔ８ａ、Ｔ７ａ、Ｔ４ａ、Ｔ５ａ、Ｔ６ａ、Ｔ３ａ、Ｔ１ａ、Ｔ２ａ、Ｂ６、Ｂ５、Ｂ４、Ｂ３、Ｂ２、Ｂ１、Ｔ６ｂ、Ｔ５ｂ、Ｔ４ｂ、Ｔ２ｂ、Ｔ１ｂ、Ｔ３ｂ、Ｔ７ｂ、Ｔ８ｂ、Ｔ９ｂの順で配置する。
グループの位置の入れ替えは、フリッカー等の表示特性に大きく影響するが、グループ内での位置の入れ替えは、表示特性に与える影響は少ないので、これは適宜行えばよい。
【００２６】
また、２進法の重み付けを持つＢ１〜Ｂ６を重み付けの大きい順でＢ６、Ｂ５、Ｂ４、Ｂ３、Ｂ２、Ｂ１と配置したのは、フリッカーに対して効果的であるからである。
すなわち、このように２進法の重み付けを持つＢ１〜Ｂ６を大きい順に並べ替えて、これらを低階調で出現する１／２サブフィールド離れたＴ１ａ、Ｔ２ａ、Ｔ３ａとＴ１ｂ、Ｔ２ｂ、Ｔ３ｂとの間の前方に配置することにより、Ｂ１〜Ｂ６の輝度による後方に配置されたＴ１ｂ、Ｔ２ｂ、Ｔ３ｂの輝度への影響が軽減され、すなわちフリッカーが認知されにくくなる。
【００２７】
図３に示すように、本実施例の駆動方法によれば、１フィールド中において、バイナリ重み付けのサブフィールドを中央に配し、それらを挟み込んで低階調用の２つの組のサブフィールドを１／２フィールド離して配置し、同様に中階調用の２つの組のサブフィールドを１／２フィールド離して配置し、その外側に高階調用の２つの組のサブフィールドで挟み込んでいる。
フリッカー及び動画擬似輪郭は、バイナリー重み付け及び高階調用のサブフィールドで表示する階調レベルでは、あまり目立たないものであり、低階調及び中階調用のサブフィールドで表示する階調レベルでは、目立つものである。
【００２８】
上述のように、本実施例においては、発光の重心の変化が抑制されており、また、低階調用及び中階調用のサブフィールドは、１／２フィールド駆動となるので、フリッカー及び動画擬似輪郭を抑制することができる。
【００２９】
次に、駆動効率について説明する。
駆動効率は、１フィールド期間中のアドレス期間で、発光しうる最大の割合を示すものである。従って、本実施例の場合、１フィールド中にサブフィールドが２４個あり、サブフィールドのアドレス期間をそれぞれ３２とすると、図１に示すサブフィールド構成では、白表示の場合、高階調用から低階調用まで、重み付けが３２のサブフィールドが１８個（重み付け６４が９個）あり、バイナリ重み付けは、合計６３であるから、駆動効率＝（６４×９＋６３）／（３２×２４）＝０．８３２となり、極めて高い駆動効率である。
【００３０】
次に、図２に示す階調毎の各ビット（サブフィールド）のＯＮ／ＯＦＦについて説明する。
同図において、０はそのサブフィールドがＯＦＦであり、１はそのサブフィールドがＯＮ（点灯）していることを示す。
上述のサブフィールドの構成では、６４０階調となる。
バイナリ重み付けであるＢ１〜Ｂ６は２進法に従った順番で階調毎にＯＮ／ＯＦＦが決定される。Ｂ１〜Ｂ６の全てがＯＮであり、等しい重み付けであるＴ１〜Ｔ９の全てがＯＦＦである場合、階調は６３／６３９となる。
【００３１】
次の階調である６４／６３９の場合、Ｂ１〜Ｂ６、Ｔ２〜Ｔ９がＯＦＦとなり、Ｔ１のみがＯＮとなる。
階調が６５／６３９〜１２７／６３９までは、Ｔ１がＯＮで、Ｂ１〜Ｂ６は２進法に従った順でＯＮ／ＯＦＦされる。
以下同様にして、階調が定められ、階調１２７／６３９の場合、Ｂ１〜Ｂ６、Ｔ１がＯＮとなり、Ｔ２〜Ｔ９はＯＦＦとなる。
次の階調１２８／６３９の場合、Ｂ１〜Ｂ６、Ｔ３〜Ｔ９がＯＦＦとなり、Ｔ１、Ｔ２がＯＮとなる。
全てのＢ１〜Ｂ６、Ｔ１〜Ｔ９がＯＮとなる場合、もっとも輝度の高い６３９／６３９の階調が表される。
【００３２】
次に、図４を参照して、本実施例の適用される表示装置において、入力されるＶｉｄｅｏ  Ｓｉｇｎａｌがサブフィールドデータに変換され出力される様子を説明する。
入力された８ビットのＶｉｄｅｏ  Ｓｉｇｎａｌは、Ｃｏｌｏｒ  Ｌｏｏｋｕｐ  Ｔａｂｌｅ部において、Ｓｕｂｆｉｅｌｄ  Ｄａｔａ（サブフィールド構造のビットデータ）に変換される。このＳｕｂｆｉｅｌｄ  ＤａｔａはＳｈｉｆｔ  Ｒｅｇｉｓｔｅｒ部において、複数のＳｕｂｆｉｅｌｄ  Ｄａｔａをまとめて、サブフィールド毎のＦｒａｍｅ  Ｄａｔａに変換され、指定されたＳｕｂｆｉｅｌｄ用のＦｒａｍｅ  Ｂｕｆｆｅｒ部に保存される。Ｆｒａｍｅ  Ｂｕｆｆｅｒ部の保存されたＦｒａｍｅ  ＤａｔａはＤｒｉｖｅ  Ｃｏｎｔｒｏｌ部にてサブフィールド毎に読み出されＤｉｓｐｌａｙ部に転送され、同時にＤｉｓｐｌａｙ部のＶｏｌｔａｇｅ  Ｃｏｎｔｒｏｌを行うことにより駆動されＶｉｄｅｏ  Ｓｉｇｎａｌが表示される。
【００３３】
（比較例）
次に、１フィールドを２４個のサブフィールドから構成した場合の、従来の１／２フィールド駆動方法の例について説明する。
図６は、比較例の画像表示装置の駆動方法におけるサブフィールドパターンの一例である。
図７は、比較例において、各階調レベルに対応した各サブフィールドの点灯（ＯＮ／ＯＦＦ）をあらわした図表である。
【００３４】
図６に示すように、１フィールドを２４個のサブフィールドから構成するとすると、これを１／２フィールド駆動にすると、１２個のサブフィールドの繰り返しで階調表示を行う必要がある。
ここでは、全ての重み付けを２つに分割する必要があるために、バイナリビットと等しい重み付けビットに割り当てられるビット数は１２となり、バイナリビットの数を実施例と同じ６とするので、等しい重み付けにわり当てられるビット数は６となる。
【００３５】
バイナリ重み付け（１、２、４、８、１６、３２）のサブフィールドを、重み付け１の番号ｂ１（重み付け０．５であるｂ１ａとｂ１ｂの組み合わせ：これを［重み付け０．５の番号ｂ１ａと番号ｂ１ｂ］と表示する。以下、番号を省略して表示する。以下同様である。）、重み付け２のｂ２［重み付け１のｂ２ａとｂ２ｂ］、重み付け４の番号ｂ３［重み付け２のｂ３ａ、ｂ３ｂ］、重み付け８の番号ｂ４［重み付け４のｂ４ａとｂ４ｂ］、重み付け１６のｂ５［重み付け８のｂ５ａとｂ５ｂ］、重み付け３２のｂ６［重み付け１６のｂ６ａとｂ６ｂ］のサブフィールドで表してある。
【００３６】
上位は６４の重み付けを持つ低い重み付けから、順番に、５個の番号ｔ１［ｔ１ａとｔ１ｂ］、ｔ２［ｔ２ａとｔ２ｂ］、ｔ３［ｔ３ａとｔ３ｂ］、ｔ４［ｔ４ａとｔ４ｂ］、ｔ５［ｔ５ａとｔ５ｂ］、ｔ６［ｔ６ａとｔ６ｂ］のサブフィールドで表す。大括弧内の番号の各サブフィールドの重み付けは３２となる。
【００３７】
これらのサブフィールドを、１／２フィールド駆動法とし、発光重心が中心にくるように配列すると、始めの１／２フィールドについては、１番目のサブフィールドから１２番目のサブフィールドまで、順番に、番号ｔ５ａ（重み付け３２）、番号ｔ３ａ（重み付け３２）、番号ｔ１ａ（重み付け３２）、番号ｂ６ａ（重み付け１６）、番号ｂ５ａ（重み付け８）、番号ｂ４ａ（重み付け４）、番号ｂ３ａ（重み付け２）、番号ｂ２ａ（重み付け１）、番号ｂ１ａ（重み付け０．５）、番号ｔ２ａ（重み付け３２）、番号ｔ４ａ（重み付け３２）、番号ｔ６ａ（重み付け３２）のサブフィールドが並ぶ。
【００３８】
続く１／２フィールドにおいては、１３番目のサブフィールドから２４番目のサブフィールドまで、順番に、番号ｔ５ｂ（重み付け３２）、番号ｔ３ｂ（重み付け３２）、番号ｔ１ｂ（重み付け３２）、番号ｂ６ｂ（重み付け１６）、番号ｂ５ｂ（重み付け８）、番号ｂ４ｂ（重み付け４）、番号ｂ３ｂ（重み付け２）、番号ｂ２ｂ（重み付け１）、番号ｂ１ｂ（重み付け０．５）、番号ｔ２ｂ（重み付け３２）、番号ｔ４ｂ（重み付け３２）、番号ｔ６ｂ（重み付け３２）のサブフィールドが並ぶ。
【００３９】
この場合の駆動効率を算出する。
比較例においては、１フィールド中にサブフィールドが２４個あり、サブフィールドのアドレス期間をそれぞれ３２とすると、図６に示すサブフィールド構成では、白表示の場合、高階調用から低階調用まで、重み付けが３２のサブフィールドが１２（重み付け６４が６個）個あり、バイナリ重み付けは、合計６３であるから、駆動効率＝（６４×６＋６３）／（３２×２４）＝０．５８２となる。
【００４０】
次に、表示可能な階調数について説明する。
図７に示すように、このサブフィールドの配列によって表示できる階調は、４４８階調である。
バイナリ重み付けであるｂ１〜ｂ６は２進法に従った順番で階調毎にＯＮ／ＯＦＦが決定される。ｂ１〜ｂ６の全てがＯＮであり、等しい重み付けであるｔ１〜ｔ６の全てがＯＦＦである場合、階調は６３／４４８となる。
次の階調である６４／４４８の場合、ｂ１〜ｂ６、ｔ２〜ｔ６がＯＦＦとなり、ｔ１のみがＯＮとなる。
【００４１】
階調が６５／４４８〜１２７／４４８までは、ｔ１がＯＮで、ｂ１〜ｂ６は２進法に従った順でＯＮ／ＯＦＦされる。
以下同様にして、階調が定められ、階調１２７／４４８の場合、ｂ１〜ｂ６、ｔ１がＯＮとなり、ｔ２〜ｔ６はＯＦＦとなる。
次の階調１２８／４４８の場合、ｂ１〜ｂ６、ｔ３〜ｔ６がＯＦＦとなり、ｔ１、ｔ２がＯＮとなる。
全てのｂ１〜ｂ６、ｔ１〜ｔ６がＯＮとなる場合、もっとも輝度の高い４４８／４４８の階調が表される。
【００４２】
以上、比較例においては、１／２フィールド駆動としているので、フリッカー及び動画擬似輪郭の発生を抑制できるが、駆動効率は０．５８２であり、表示可能階調数は４４８である。
【００４３】
ここで、上述の実施例と比較例を比較して考察するに、フリッカー及び動的擬似輪郭の発生については、実施例はその現象が顕著となる低階調及び中階調においては、実質的に１／２フィールド駆動となるようにサブフィールドを配置しているので、比較例と同様にフリッカー及び動的擬似輪郭の発生を抑制できる。
表示可能な階調数については、実施例においては６４０階調表示が可能であるのに対し比較例では４４８階調に過ぎず、その比は１．４倍であり、実施例では高階調表示できる。
駆動効率については、実施例においては０．８３２であるのに対し、比較例では０．５８２であり、その比は１．４倍であり、実施例では高効率駆動が可能である。
すなわち、本発明の画像表示装置の駆動方法によれば、フリッカー及び動画擬似輪郭の発生を抑制しながら、高い駆動効率と高階調表示を実現できる。
【図面の簡単な説明】
【００４４】
【図１】本発明に係る画像表示装置の駆動方法の実施例におけるサブフィールドパターンである。
【図２】実施例において、各階調レベルに対応した各サブフィールドの点灯（ＯＮ／ＯＦＦ）をあらわした図表である。
【図３】実施例において、フリッカーの抑制効果について例示した図である。
【図４】実施例に係る画像表示装置のブロック図である。
【図５】サブフィールド構造を説明するための図である。
【図６】比較例の画像表示装置の駆動方法におけるサブフィールドパターンの一例である。
【図７】比較例において、各階調レベルに対応した各サブフィールドの点灯（ＯＮ／ＯＦＦ）をあらわした図表である。
【符号の説明】
【００４５】
Ｂ１、Ｂ２、Ｂ３、Ｂ４、Ｂ５、Ｂ６…バイナリ重み付けサブフィールド（番号）、Ｔ１ａ、Ｔ１ｂ、Ｔ２ａ、Ｔ２ｂ、Ｔ３ａ、Ｔ３ｂ…低階調用サブフィールド（番号）、Ｔ４ａ、Ｔ４ｂ、Ｔ５ａ、Ｔ５ｂ、Ｔ６ａ、Ｔ６ｂ…中階調用サブフィールド（番号）、Ｔ７ａＴ７ｂＴ８ａＴ８ｂＴ９ａＴ９ｂ…高階調用サブフィールド（番号）。
【図１】
2006171651.tif 000003
【図２】
2006171651.tif 000004
【図３】
2006171651.tif 000005
【図４】
2006171651.tif 000006
【図５】
2006171651.tif 000007
【図６】
2006171651.tif 000008
【図７】
2006171651.tif 000009